(57)【要約】【課題】ロール紙束が順方向と逆方向のいずれの方向に取り付けられている場合にも、ロール紙束から繰り出されたロール紙のカールを除去することが可能な安価かつ小型なカール除去装置の提供を目的とする。【解決手段】ロール紙束１から繰り出されたロール紙Ｐの一部に接触可能な単一の接触部３を備え、ロール紙の繰り出し時における前記ロール紙束１の回転方向Ｚ１またはＺ２に応じて接触部３を異なる位置Ｌ１またはＬ２に選択的に移動させる。これにより、カールの発生方向と反対方向にロール紙Ｐを湾曲させる。【選択図】図３
2010120741.tif 000002
【特許請求の範囲】
【請求項１】
所定の装着部に着脱可能に装着されたロール紙束からロール紙取扱装置へと繰り出されるロール紙のカールを除去するカール除去装置であって、
前記ロール紙束から繰り出されたロール紙の一部に接触可能な単一の接触部と、
前記ロール紙の繰り出し時における前記ロール紙束の回転方向に応じて前記接触部を異なる位置に選択的に移動させ、前記カールの発生方向と反対方向に前記ロール紙を湾曲させる移動機構と、を備えることを特徴とするカール除去装置。
【請求項２】
前記移動機構は、前記ロール紙束の第１の回転方向に応じた第１の位置と、前記第１の回転方向と逆方向である第２の回転方向に応じた第２の位置とに、前記接触部を選択的に移動させ、前記接触部は、前記第１の位置及び第２の位置それぞれにおいて前記ロール紙束から繰り出されたロール紙の外面に接触することを特徴とする請求項１に記載のカール除去装置。
【請求項３】
前記移動機構は、前記第１の位置と前記第２の位置の間に位置する中立位置に前記接触部を保持可能であることを特徴とする請求項２に記載のカール除去装置。
【請求項４】
前記装着部は、前記ロール紙束の入れ替え時に閉位置から開位置へと移動可能なカバーをさらに備え、前記移動機構は、前記カバーが開位置にあるとき前記接触部を前記中立位置に保持し、前記カバーが閉位置にあるとき前記接触部を第１の位置または第２の位置へと移動させることを特徴とする請求項３に記載のカール除去装置。
【請求項５】
前記移動機構は、前記ロール紙束の回転力によって前記接触部を第１の位置または第２の位置へと移動させることを特徴とする請求項１ないし４のいずれかに記載のカール除去装置。
【請求項６】
前記移動機構は、前記ロール紙束と同一の回転中心を中心として回転可能に保持されると共に、前記接触部が形成されたレバーを備えることを特徴とする請求項１ないし５のいずれかに記載のカール除去装置。
【請求項７】
所定の装着部に着脱可能に装着されたロール紙束から繰り出されるロール紙のカールを除去するカール除去装置と、前記カール除去装置から供給される前記ロール紙を搬送する搬送手段と、前記搬送手段によって搬送される前記ロール紙に記録を行う記録手段と、を備えた記録装置であって、
前記カール除去装置は、
前記ロール紙束から繰り出された前記ロール紙の一部に接触可能な単一の接触部と、
前記ロール紙の繰り出し時における前記ロール紙束の回転方向に応じて前記接触部を異なる位置に選択的に移動させ、前記カールの発生方向と反対方向に前記ロール紙を湾曲させる移動機構と、を備えることを特徴とする記録装置。
【請求項８】
前記記録手段は、前記搬送手段によって搬送される前記ロール紙の一方の面に記録を行う第１の記録手段と、前記ロール紙の他方の面に記録を行う第２の記録手段とを備え、
前記記録手段は、前記接触部の位置に応じて前記第１の記録手段と前記第２の記録手段のいずれか一方によって記録を行うことを特徴とする請求項７に記載の記録装置。
【発明の詳細な説明】
【技術分野】
【０００１】
本発明は、ロール紙を扱う記録装置及び複写装置などに対して、元々、ロール紙が保持している巻き癖（カール）を除去するためのカール除去装置及びそのカール除去装置を備えた記録装置に関する。
【背景技術】
【０００２】
現在、ロール紙束から繰り出された用紙（ロール紙）を記録媒体として用いる記録装置が知られている。この記録装置では、ロール紙の巻き癖（以下、カールとも呼ぶ）が強いと、装置本体内の記録媒体の搬送経路中に設けられている記録部に対し、カールしたロール紙が接触することがある。この場合、記録媒体に形成された画像品質や印字精度が悪化するという現象がみられる。また、カールしたロール紙は、排紙トレー上での積載性が悪いため、ロール紙が排紙トレーから落ちて散乱したり、ジャムの原因になったりする。このため、従来の記録装置には、ロール紙の巻き癖を除去するような機構が設けられたものがある。ロール紙の巻き癖は、巻き芯に近くなるほど強くなるので、ロール紙の巻き残量に応じて巻き癖修正量を変化させるようにしたものが提案されている。
【０００３】
従来のロール紙のカールを矯正する手段としては、ロール紙束の自重によってロール紙束から引き出されたロール紙の巻き付き角度を変動させることが可能な矯正ガイドを備えたものがある（特許文献１参照）。また、ロール紙束の外径に応じて、ばね部材で付勢されて後端部で壁部に摺接しているロール紙を押圧可能とすると共に、先端部がロール紙収容部に収容されたロール紙の外周部に当接する押圧部材を有しているもの（特許文献２参照）が提案されている。
【０００４】
さらに、特許文献３には、ロール紙束から繰り出されたロール紙に生じるカールが上向きカール、下向きカールのいずれであっても除去可能なカール除去装置が提案されている。この特許文献３に開示のカール除去装置は、紙を通過させる一対のバーの位置を、ステッピングモータの駆動によって移動させることにより、上カール、下カールの双方に対応できるようになっている。一対のバーはステッピングモータの駆動制御により紙経路を挟んで上下に配置された第１の回転位置と、ここから時計回り方向に９０度回転させた第２の位置と、逆に反時計回り方向に９０度回転移動させた第３の位置とに選択的に保持される。すなわち、一対のバーは、ロール紙が上カールのときには第２の回転位置に保持され、ロール紙が下カールのときには第３の回転位置に保持されるようになっており、これにより上下どちら向きのカールも矯正することができる。
【０００５】
【特許文献１】特開２００４−８３２０８号公報
【特許文献２】特開平０５−０５８５２６号公報
【特許文献３】特開２００２−０３７４９６号公報
【発明の開示】
【発明が解決しようとする課題】
【０００６】
上記のようなロール紙を記録媒体として用いる記録装置において、ロール紙束の装着構造としては、例えば、図８および図９に示すようなものが知られている。図８に示す構造では、まず、図８（ａ）に示すように、ロール紙束１００の中心孔１００ｃの両端部からフォルダー１０１，１０２の一端部を回動自在に嵌合させる。次いで、図８（ｂ）に示すように本体側受け部１０３、１０４へ、フォルダー１０１、１０２の軸部を載置する。
【０００７】
一方、図９（ａ）、（ｂ）に示す構造では、ロール紙束１１０の中央孔１１０ｃの一端部１１０ｃ１にホルダー１０５が回動自在に嵌合され、このホルダー１０５が記録装置の左側部１２０に着脱可能に固定される。また、ロール紙束１１０の中央孔１１０ｃの他端部１１０ｃ２は、記録装置の右側部１２１に突設された支持部１２２に回動自在に支持される。これにより、ロール紙束１１０は、記録装置の左右の側部で回動自在に支持されることとなり、ロール紙束１１０を回転させることによってロール紙を記録装置の内部に繰り出すことが可能になる。
【０００８】
ところで、図８および図９に示すような従来のロール紙束の装着構造では、ロール紙束１００の左右の端部が、これを支持する記録装置の左右の側部に対して逆に装着されてしまう、いわゆる逆装着が行われることがある。この場合、ロール紙束から繰り出されたロール紙の巻き癖（カール）は除去されず、そのカールによって搬送工程での不具合（ジャム、斜行）や記録工程での画像不良（インク吐出用ヘッド部の擦れによる画像汚れ）を引き起こすことがある。このような不具合を生じる直接的な原因は操作者の操作ミスによるものであるが、操作者全てが操作に習熟しているとは限らず、こうしたミスの発生を完全になくすことは困難である。特許文献１および特許文献２においても、ロール紙束が本体部に逆付けされた場合の装置では、操作者のミスを補うような配慮がなされておらず、操作者のミスがそのまま印字不良あるいはジャムなどの不都合を生じさせる結果となっていた。また、従来の装置では、ロール紙搬送時のロール束の搬送回転方向が一方向にのみ許容されるような構造（ワンウェイ回転機構など）を有するものがあり、その場合には操作者の重大なミスを結果を導く虞がある。
【０００９】
これに対し、上記特許文献３に開示の装置にあっては、上向きのカールと下向きのカールのいずれも除去可能となっているため、ロール紙束が逆装着されたとしても記録装置に対してカールを除去した記録媒体を送ることができる。
【００１０】
しかしながら、特許文献３に開示の装置にあっては、上向のカールを除去する場合と、下向きのカールを除去する場合とに応じて一対のバーをステッピングモータで回転させる構成となっている。このため、装置がコスト高になるという問題もある。
【００１１】
本発明は、ロール紙束が順方向と逆方向のいずれの方向に取り付けられている場合にも、ロール紙束から繰り出されたロール紙のカールを除去することが可能な安価かつ小型なカール除去装置の提供を目的とする。
【課題を解決するための手段】
【００１２】
本発明は、所定の装着部に着脱可能に装着されたロール紙束からロール紙取扱装置へと繰り出されるロール紙のカールを除去するカール除去装置であって、前記ロール紙束から繰り出されたロール紙の一部に接触可能な単一の接触部と、前記ロール紙の繰り出し時における前記ロール紙束の回転方向に応じて前記接触部を異なる位置に選択的に移動させ、前記カールの発生方向と反対方向に前記ロール紙を湾曲させる移動機構と、を備えることを特徴とする。
【００１３】
本発明の第２の形態は、所定の装着部に着脱可能に装着されたロール紙束から繰り出されるロール紙のカールを除去するカール除去装置と、前記カール除去装置から供給される前記ロール紙を搬送する搬送手段と、前記搬送手段によって搬送される前記ロール紙に記録を行う記録手段と、を備えた記録装置であって、前記カール除去装置は、前記ロール紙束から繰り出された前記ロール紙の一部に接触可能な単一の接触部と、前記ロール紙の繰り出し時における前記ロール紙束の回転方向に応じて前記接触部を異なる位置に選択的に移動させ、前記カールの発生方向と反対方向に前記ロール紙を湾曲させる移動機構と、を備えることを特徴とする。
【発明の効果】
【００１４】
上記構成を有する本発明によれば、に設けられた搬送手段によるロール紙搬送動作においてカール除去部材が移動し、ロール紙束に接触することで、ロール紙束から繰り出されたロール紙のカールを除去する。この際、ロール紙束が所定の装着装置において順方向と逆方向のいずれの方向に装着されていたとしても、ロール紙に生じているカールを除去することができる。このため、常に平坦化されたロール紙をロール紙取扱装置へと供給でき、装置内におけるロール紙の搬送動作を適正に行うことができる。
【発明を実施するための最良の形態】
【００１５】
以下、本発明の実施形態を図面を参照しつつ説明する。  
【００１６】
（第１の実施形態）
図１は本実施形態におけるロール紙用のカール除去装置を備えたロール紙取扱い装置としての記録装置の全体的構成を模式的に示す説明側面図である。  
図１において、本実施形態における記録装置１０は、ロール紙束１を回動可能に支持する装着部１０ａと、ロール紙束１から繰り出したロール紙Ｐの搬送、記録、切断などの動作を行う本体部６とを備える。さらに記録装置１０は、装着部１０ａと本体部６との間にロール紙束１から繰り出されたロール紙のカールを除去するカール除去装置７を備える。なお、本実施形態で使用するロール紙束１は、ロール紙Ｐの表面（外面）Ｐ１と裏面（内面）Ｐ２のいずれにも記録を可能とするロール紙を捲装してなる両面記録用のロール紙となっている。
【００１７】
本体部６ａには、ロール紙束１から繰り出したロール紙Ｐを記録台６ｃへと送る搬送ローラ対６ａと、記録台６ｃに対し所定の間隔を介して対向する記録ヘッド６ｂとが設けられている。この記録ヘッド６ｂは記録台６ｃ上に位置するロール紙Ｐの一面に画像の記録を行う。さらに、本体部６には、記録された記録媒体Ｐを切断する不図示の切断装置と、排紙トレイ６ｅへと搬送する排紙ローラ対６ｄとが設けられている。なお、図中、Ｙはロール紙Ｐが搬送される方向を示している。
【００１８】
カール除去装置７は、主として、ロール紙束１の回転中心と同一の中心を中心として回転可能に支持されている移動レバー２と、そのレバーの先端に設けられ、ロール紙Ｐと接触可能な矯正ローラ（接触部）３とを有する。なお、カール除去装置７の詳細構成および作用は後に詳述する。
【００１９】
上記のように構成された記録装置１０の記録動作時において、いま、ロール紙束１の装着状態が、図１および図２（ａ）の矢印Ｚ１で示す時計回り方向（第１の回転方向）に回転するような装着状態（以下、順装着と称す）であるとする。この場合、ロール紙束１から繰り出されたロール紙Ｐは、図１の実線にて示す位置に保持されているローラの外周に巻き付けられて、ロール紙束１における巻き癖（カール）の発生方向と反対方向へと湾曲する。これにより、ロール紙束１から繰り出されたロール紙のカールは除去され、搬送ローラ対６ａへは平坦な状態のロール紙Ｐが供給される。このため、ロール紙Ｐは搬送ローラ対６ａの搬送動作によって、記録台６ｃと記録ヘッド６ｂとの間を通過して行き、その間に記録ヘッド６ｂによって画像が記録される。このとき、ロール紙Ｐは既に平坦な状態となっているため、記録ヘッド６ｂとロール紙との間には予め設定した適正な間隔が保たれ、ロール紙は記録ヘッド６ｂに接触することなく適正に搬送される。これにより、形成される画像には良好な品質を得ることができる。この後、記録ヘッド６ｂを通過して画像の形成されたロール紙Ｐは、記録ヘッド６ｂの下流に設けられた排紙ローラ６ｃから排出され、不図示の切断機構によって適正サイズに切断されて排紙トレイ６ｅ上に排出される。
【００２０】
また、本実施形態のカール除去装置７にあっても、ロール紙束の交換作業などにおいて、ロール紙束１がそれまでの装着方向とは逆の方向に装着される可能性があり、その場合にはロール紙搬送時におけるロール紙束１の回転方向が逆方向になる。例えば、図２（ａ）および図３に示すように順装着されていたロール紙束１が、その交換時において図２（ｂ）および図４に示すように逆方向に装着された場合、ロール紙束１の回転方向は順装着時の回転方向Ｚ１とは逆方向（第２の回転方向（Ｚ２方向））になる。以下、この逆方向に装着された状態を逆装着と称す。しかし、本実施形態においてロール紙束１が逆装着された場合には、搬送ローラ６ａによるロール紙の搬送動作が開始されると同時に、移動レバー２と共にローラ３が図１の二点鎖線線で示す位置へ向けて移動する。これにより、ロール紙Ｐの一面にローラ３の外周が押し当てられ、ロール紙Ｐは矯正ローラ３で屈曲し、張力が発生する。このため、逆装着されたロール紙束１から繰り出されるロール紙の巻き癖（カール）も、順装着された時と同様に除去され、ロール紙は略平坦な状態に矯正されて本体部６へと供給される。  
上記のように本実施形態では、搬送ローラ対６ａによるロール紙Ｐの搬送に伴ってロール紙束１が回転すると、その方向（Ｚ１またはＺ２方向）に準じて移動レバー２が自動的にカール除去方向へと移動するようになっている。この移動レバー２の移動については、以下に、図３ないし図５に基づいて詳細に説明する。
【００２１】
図５は本実施形態におけるカール除去装置の一部横断平面図である。  
図５において、前述の移動レバー２は、ロール紙束１およびカール矯正ローラ３の右側に配置された右移動レバー２ａと左側に配置された左移動レバー２ｂとにより構成されており、カール矯正ローラ３は前記両レバー２ａ，２ｂに回動自在に支持されている。また、ロール紙束１の中心孔１ｃの両端部には、ホルダー１７，２０の先端部１７ａ，２０ａが挿入されており、ロール紙束１はこの先端部１７ａ，２０ａによって回動自在に支持されている。さらに、両ホルダー１７，２０の円柱状の軸部１７ｂ，２０ｂは、移動レバー２ａ，２ｂ、弾性部材１９，２２および記録装置１０の側部１７，２１のそれぞれの貫通孔に挿入されている。
【００２２】
両ホルダー１７，２０は、各々のフランジ部１７ｃ，２０ｃを側部１８，２１に対して、ねじ、あるいはその他の固定手段によって着脱可能に固定されている。移動レバー２ａ，２ｂは、両ホルダ１７，２０の軸部１７ｂ，２０ｂに対して回動自在に支持されている。また、弾性部材１９，２２は、移動レバー２ａ，２ｂと記録装置の両側部１８，２１の間に予め設定された適度な圧力で圧接しており、その圧力によって移動レバー２ａ，２ｂは、ロール紙束１の両側面１ａ，１ｂに圧接している。このため、ロール紙束１の回転時においてその両側面１ａ，１ｂと移動レバー２ａ，２ｂとの間に摩擦力が発生し、その摩擦力によってロール紙束の回転力が移動レバー２へと伝達される。
【００２３】
また、図３および図４は、本実施形態におけるカール除去装置の構成および作用を示す説明側面図であり、図３はロール紙束１が順装着された状態を、図４はロール紙束１が逆装着された状態をそれぞれ示している。  
図３および図４に示すように、移動レバー２の中間部には、引きばね９の一端が掛止されており、移動レバー３に時計回りまたは反時計回りの方向へモーメントが発生するように付勢されている。すなわち、移動レバー３が中立位置Ｌ０よりも、図中の上側に位置する場合には、引きばね９の付勢力によって移動レバー２はストッパ１２に当接する位置まで移動し、その位置（図３の実線位置）に保持される。また、移動レバー３が中立位置Ｌ０よりも、図中の下側に位置する場合には、図４に示すように、移動レバー３は引きばね９の付勢力によってストッパ１５に当接する位置まで移動し、その位置（図４の実線位置）に保持される。このように本実施形態では、ホルダ１７，２０を中心として移動可能な移動レバー２および矯正ローラ３が、ばねの付勢力およびストッパ１２，１５によって、２つの位置のいずれかに安定する所謂トグル機構を構成しており、これが本発明の移動機構に相当する。
【００２４】
上記構成において、ロール紙束１を記録装置１０の装着部６ａに順装着させた場合（図３参照）、操作者は、ロール紙束１から繰り出したロール紙Ｐを矯正ローラ３の上側を通過するように配廻して搬送ローラ対６ａへと送り込む。このとき、移動レバー２および矯正ローラ３の位置は、図３の実線にて示す上昇位置（第１の位置）Ｌ１でも良いし、図４の実線にて示す下降位置（第２の位置）Ｌ３でも良い。但し、いずれにおいてもロール紙束１から繰り出したロール紙Ｐは矯正ローラ３の上方を通過させることが必要である。
【００２５】
ここで、搬送ローラ対６ａによって搬送動作が開始されると、ロール紙束１がホルダー１７,２０を中心に時計周り方向（Ｚ１方向）に回転し、その回転力はロール紙束１の側面に圧接している移動レバー２に伝達され、移動レバー２も同回転方向へと付勢される。従って、移動レバーが下降位置にあった場合には、引きばね９の付勢力に抗して移動レバー２は上方へと回転し、中立位置Ｌ０を超えた時点で引きばね９の付勢力も加わって、ストッパ１２と当接する上昇位置（第１の位置）Ｌ１へと移動する。これにより、ロール紙Ｐはローラ３によって引き上げられ、図３に示すような屈曲した状態となり所定の張力が与えられる。これにより、ロール紙束１から繰り出されたロール紙Ｐからはカールが除去され、略平坦な状態となって搬送ローラ対６ａへと供給される。
【００２６】
なお、ロール紙束１を順装着した後、ロール紙Ｐを搬送ローラ対６ａへと掛け渡すに際し、移動レバー２および矯正ローラ３を操作者の手動操作によって予め上昇位置へと移動させておいても良い。これによれば、搬送ローラ対６ａによる搬送動作の開始と同時に直ちにロール紙Ｐのカール除去動作を開始することができる。このため、ロール紙Ｐの先端部に、より近い位置からカールの除去を開始することができる。
【００２７】
次にロール紙束１の交換作業などにおいて、新たなロール紙束１がそれまでの装着状態とは逆の方向に装着された場合におけるカール除去装置の動作を説明する。  
順装着されていたロール紙束１を交換する場合、移動レバー２および矯正ローラ３は、図３に示すように上昇位置に保持されている。ここで、操作者が新たに装着するロール紙束１を記録装置１０の装着部１０ａに逆装着し、ロール紙束１から引き出したロール紙Ｐを搬送ローラ対６ａに供給したとする。このときロール紙Ｐは、矯正ローラ３から下方に離間しており、ロール紙Ｐには張力が発生していない。しかし、搬送ローラ対６ａによってロール紙Ｐの搬送動作が開始されると、その搬送動作に伴ってロール紙束１は反時計回り方向（Ｚ２方向）へと回転し、その回転力がロール紙束１の側面に圧接している移動レバー２に伝達される。その結果、移動レバー２は、引きばね９の付勢力に抗してロール紙束１と共にＺ２方向へと回転し、中立位置Ｌ０の通過した後には引きばね９の付勢力も加わってストッパ１５の位置まで回転し、ここで停止する。この移動動作の間に矯正ローラ３は、ロール紙束１から搬送ローラ対６ａへと掛け渡されていたロール紙Ｐに圧接してこれを屈曲させ、張力を発生させる。これにより、搬送ローラ対６ａにはカールの除去された平坦な状態のロール紙Ｐが供給される。
【００２８】
なお、ロール紙束１を逆装着した後のロール紙Ｐの配廻し作業において、操作者は、上昇位置Ｌ１にある矯正ローラ３の上側を通過させて搬送ローラへと導くような配廻しを行う可能性もある。この場合、移動レバー２および矯正ローラ３は、搬送ローラ対６ａの回転動作に伴って下降位置（第２の位置）Ｌ２へと移動し、矯正ローラ３がロール紙Ｐから離間する方向へと移動することとなる。その結果、ロール紙Ｐには大きな弛みが生じることとなり、カールは全く除去されない状態となり、その状態で記録動作が継続された場合にはカールによるジャムなどの搬送不良あるいは記録ヘッドとの接触による画像品質の低下などが生じる虞がある。しかし、ロール紙Ｐが弛んだ状態、すなわちロール紙Ｐに張力が発生していない状態では、搬送動作時に搬送ローラ対６ａにかかる負荷は大幅に減少するため、搬送ローラ対６ａによる搬送速度は通常よりも大幅に増大する。そして、このような搬送速度の大きな変化は、一般には記録装置側に設けられている周知の検出部によって検出される。従って、上記のようなロール紙Ｐの配廻しが行われたとしても、通常の記録装置ではこれが搬送速度の異常と判断されるため、記録動作が継続して行われることはない。
【００２９】
以上のように、本実施形態によれば、ロール紙束１の装着が、順装着、逆装着のいずれであっても、単一の矯正ローラの位置を上昇位置と下降位置とに選択的に移動させることによって、ロール紙Ｐのカールを除去することができる。このため、特許文献３のように複数のバーを用いるものに比べ、構成を単純化および小型化することができる。また、本実施形態では、カールの除去において、矯正ローラ３の移動を搬送ローラ４の駆動力によって行うようになっており、特許文献３のような専用の駆動源を必要としないため、安価
【００３０】
（第２の実施形態）
次に、本発明の第２の実施形態を図６に基づき説明する。  
図６（ａ）は本発明の第２の実施形態におけるカール除去装置７’の概略構成を示す説明側面図、同図（ｂ）は、同図（ａ）におけるＡ部拡大側面図である。なお、図６において、上記第１の実施形態と同一もしくは相当部分には同一符号を付す。  
この第２の実施形態は、記録装置１０の装着部１０ａに対するロール紙束１の装着操作のより容易に行い得るような移動機構を備えるものとなっている。ここに示す移動機構は、第１の実施形態と同様にホルダ１７の挿入部１７ａを中心として移動可能な移動レバー２と、その一端部に回動自在に支持された矯正ローラ３とを備え、移動レバー２の他端部には円弧面を有するカバー２６が連結されている。すなわち、このカバー２６の一端部は、図６（ｂ）に示すように、カバー２６の係合部２５ａの接合面２５ｂが、移動レバー２に一体的に構成されたピン部２７と係合している。そして、カバー２６を第１の閉位置Ｒ２、開位置Ｒ０、第２の閉位置Ｒ１へと移動させると、それに伴って、移動レバー２と共に矯正ローラ３が、下降位置（第２の位置）Ｌ２，中立位置Ｌ０，上昇位置（第１の位置）Ｌ１へと移動するようになっている。
【００３１】
上記のように構成された第２の実施形態におけるカール除去装置において、操作者がロール紙束１を新たに交換する時には、カバー２６を閉位置Ｒ２から、開位置Ｒ０へと移動させる。このカバー２６の閉位置Ｒ２から開位置Ｒ０への移動動作（図６（ｂ）の矢印Ｚ１方向への移動動作）と連動して、移動レバー２もカール矯正ローラ３を伴って、位置Ｌ２から中立位置Ｌ０へと移動する。この中立位置Ｌ０にカール矯正ローラ３を保持可能とすることで、ロール紙束交換時における操作者の目視確認や、搬送ローラ４、矯正ローラ３などへのロール紙Ｐの配廻しの煩わしさが大幅に改善される。また、カバー２６は開位置Ｒ０においてロール紙束１の装着スペースの下方が覆われるため、装着作業中のロール紙束１の落下を防止することが可能になり、ロール紙の破損や汚損の危険性を低減することができる。
【００３２】
（第３の実施形態）
次に本発明の第３の実施形態を図７に基づき説明する。  
この第３の実施形態における記録装置３０は、上記第１の実施形態と同様のカール除去装置７と、本体部３６を備える。この第３の実施形態における本体部３６は、搬送ローラ対６ａから排紙ローラ対６ｄに至る搬送経路内の上流側と下流側とに２個の記録ヘッド６ｂ，６ｆが、搬送経路を挟んで上側と下側とにそれぞれ設けられており、この点が上記第１の実施形態と異なる。
【００３３】
図７では、記録装置３０の装着部３０ａに対してロール紙束１が順装着されており、時計方向への回転動作が可能になっている。ロール紙束１から繰り出されたロール紙Ｐは、上昇位置Ｌ１に位置する矯正ローラ３によってカールが除去され、平坦な状態で搬送ローラ対６ａに供給される。また、ロール紙束１が逆装着されていた場合にも、上記第１実施形態と同様に矯正ローラ３が下降位置Ｌ２へと移動し、カールを除去したロール紙Ｐを搬送ローラ対６ａへと供給する。
【００３４】
その後、ロール紙Ｐは上流側に設けられた第１の記録ヘッド（第１の記録手段）６ｂと記録台６ｃとの間に送られ、ここで第１の記録ヘッド６ｂによりロール紙Ｐの一方の面（表面）に画像が記録される。この後、第１の記録ヘッド６ｂより下流に搬送されたロール紙Ｐは、第２の記録ヘッド（第２の記録手段）６ｆと記録台６ｇとの間で一方の面とは逆の面である他方の面（裏面）に対して記録動作が行なわれる。これにより、ロール紙に対する両面記録が完了する。さらに、両面記録されたロール紙Ｐは、下流に位置する排紙ローラ対６ｄから送り出され、不図示の切断部により適正なサイズに切断されて排紙トレイ６ｅへと排出される。
【００３５】
このように、この第３の実施形態では、搬送経路の上側と下側とに記録ヘッドを配置することで、ロール紙の表面と裏面の双方に記録を行うことが可能になっている。このため使用するロール紙束が、表面または裏面にのみ記録することが可能な片面記録用のロール紙を捲装したものであったとしても、そのロール紙の一方の面に形成される記録面に対向した一方の記録ヘッドによって画像を記録することができる。従って、この第３の実施形態における記録装置３０では、片面記録用のロール紙束（例えばコート紙）が順装着あるいは逆装着された場合にも、ロール紙の記録面に対して何れか一方の記録ヘッドを用いて記録を行うことができる。第１の記録ヘッド６ａと第２の記録ヘッド６ｇのいずれを使用するべきかの判断は、例えば、移動レバー２あるいは矯正ローラ３の位置を検出することによって行うことができる。すなわち、移動レバー２あるいは矯正ローラ３が上昇位置Ｌ１にあるか下降位置Ｌ２にあるかをセンサで検出し、その検出結果に応じて記録データをいずれか一方の記録ヘッドに供給するようにする。
【００３６】
以上説明した通り、本願発明に係るカール除去装置によれば、従来発生していたロール紙の搬送の不具合（ジャム、斜行、等）の発生を低減でき、ロール紙のカールによって生じる記録ヘッドとの接触により、画像が劣化するのを防止することが可能となる。また、略平坦な状態のロール紙を記録装置内に供給することができることから、装置本体が扱えるロール紙種を普通紙、コート紙の種別に関係なく、多様な紙種への印字が可能となり、普通紙や両面コート紙への両面記録の製品仕様へも対応可能となる。
【００３７】
さらに重要な効果は、操作者が、不慣れなロール紙束装着作業において、記録装置内に設けられている装着時の取扱い方法が記載された注意ラベルを読む必要がなくなり、順装着あるいは逆装着のいずれにおいても確実に記録動作を行うことができる。このため、不慣れな操作者も安心してロールの装着作業を行うことができ、装置への信頼感が増し、装置品質の向上を実現することができる。
【００３８】
なお、以上の説明では、本発明に適用可能なロール紙取り扱い装置として記録装置を挙げたが、本発明は記録装置に限らず、ロール紙束から繰り出したロール紙を取り扱う装置であれば、いかなる装置にも適用可能である。また、本発明に適用可能な記録装置としてはインクを吐出して記録を行うインクジェット記録装置あるいは電子写真方式を採る記録装置のほか、複写機、ファクシミリなど、ロール紙を使用する種々の記録装置に適用可能である。
【図面の簡単な説明】
【００３９】
【図１】本発明に係る記録装置の第１の実施形態の全体構成を模式的に示す説明平面図である。
【図２】本発明の第１の実施形態におけるロール紙束を示す斜視図であり、（ａ）は図１に示す記録装置において順装着されたロール紙束を、（ｂ）は逆装着されたロール紙束をそれぞれ示している。
【図３】第１の実施形態におけるカール除去装置の構成および作用を示す説明側面図であり、ロール紙が順装着された状態を示している。
【図４】第１の実施形態におけるカール除去装置の構成および作用を示す説明側面図であり、ロール紙が逆装着された状態を示している。
【図５】本実施形態におけるカール除去装置の一部横断平面図である。
【図６】（ａ）は本発明の第２の実施形態におけるカール除去装置７’の概略構成を示す説明側面図、同図（ｂ）は、同図（ａ）におけるＡ部拡大側面図である。
【図７】本発明の第３の実施形態における記録装置の構成を模式的に示す説明側面図である。
【図８】従来のロール紙束の取付構造を示す図であり、（ａ）はロール紙束およびその両端に嵌合させるホルダーを示す側面図、（ｂ）はロール紙束を装着した状態を示す側面図である。
【図９】従来のロール紙束の取付構造の他の例を示す図であり、（ａ）はロール紙束およびその一旦に嵌合させるホルダーの縦断側面図、（ｂ）はロール紙束を装着した状態を示す縦断側面図である。
【符号の説明】
【００４０】
１  ロール紙束
２  移動レバー
３  矯正ローラ
６  装置本体
６ａ  搬送ローラ対
６ｂ  記録ヘッド（第１の記録ヘッド）
６ｆ  第２の記録ヘッド
７，７’  カール除去装置
９  引きばね
１０ａ  装着部
１７、２０  ホルダー
１９、２２  弾性部材
２６  開閉カバー
Ｐ  ロール紙
Ｐ１  表面
Ｐ２  裏面
【図１】
2010120741.tif 000003
【図２】
2010120741.tif 000004
【図３】
2010120741.tif 000005
【図４】
2010120741.tif 000006
【図５】
2010120741.tif 000007
【図６】
2010120741.tif 000008
【図７】
2010120741.tif 000009
【図８】
2010120741.tif 000010
【図９】
2010120741.tif 000011